Podtech/llm-jp-corpus-v4-ja_patent huggingface dataset:
【手続補正書】
【提出日】平成19年4月27日(2007.4.27)
【手続補正１】
【補正対象書類名】特許請求の範囲
【補正対象項目名】全文
【補正方法】変更
【補正の内容】
【特許請求の範囲】
【請求項１】
燃料電池の発電部を有する発電セル積層体の、少なくともガス出入り側端部の前記発電セルの外側に、ガス供給配管を伝ってくる凝縮水を流れ込ませる第１の凝縮水流れ込み部が設けられており、ガス供給配管とガス排出配管が、共に、発電セル積層体のセル積層方向一端側に設けられていることを特徴とする燃料電池。
【請求項２】
前記第１の凝縮水流れ込み部は、ガス供給配管と、発電セル積層体との間に設けられていることを特徴とする請求項１に記載の燃料電池。
【請求項３】
前記第１の凝縮水流れ込み部は出側マニホルドに連通することを特徴とする請求項１または請求項２記載の燃料電池。
【請求項４】
前記発電セル積層体のうち前記第１の凝縮水流れ込み部が設けられていない側の端部において、入り側マニホルドの凝縮水を流れ込ませる第２の凝縮水流れ込み部がさらに発電セル積層体の外側に、設けられたことを特徴とする請求項１〜請求項３のいずれか一項記載の燃料電池。
【請求項５】
前記第２の凝縮水流れ込み部は入り側マニホルドと出側マニホルドとを連通することを特徴とする請求項４記載の燃料電池。
【請求項６】
前記発電セルは触媒を有することを特徴とする請求項１〜請求項５のいずれか一項記載の燃料電池。
【請求項７】
前記発電セルは固体高分子型燃料電池であることを特徴とする請求項１〜請求項６のいずれか一項記載の燃料電池。
【手続補正２】
【補正対象書類名】明細書
【補正対象項目名】０００４
【補正方法】変更
【補正の内容】
【０００４】
上記目的を達成する本発明はつぎの通りである。
（１）  燃料電池の発電部を有する発電セル積層体の、少なくともガス出入り側端部の前記発電セルの外側に、ガス供給配管を伝ってくる凝縮水を流れ込ませる第１の凝縮水流れ込み部が設けられており、ガス供給配管とガス排出配管が、共に、発電セル積層体のセル積層方向一端側に設けられていることを特徴とする燃料電池。
（２）  第１の凝縮水流れ込み部は、ガス供給配管と、発電セル積層体との間に設けられている（１）記載の燃料電池。
（３）  第１の凝縮水流れ込み部は出側マニホルドに連通する（１）または（２）記載の燃料電池。
（４）  発電セル積層体のうち第１の凝縮水流れ込み部が設けられていない側の端部において、入り側マニホルドの凝縮水を流れ込ませる第２の凝縮水流れ込み部がさらに発電セル積層体の外側に、設けられた（１）〜（３）のいずれかに記載の燃料電池。
（５）  第２の凝縮水流れ込み部は入り側マニホルドと出側マニホルドとを連通する（４）記載の燃料電池。
（６）  発電セルは触媒を有する（１）〜（５）のいずれかに記載の燃料電池。
（７）  前記発電セルは固体高分子型燃料電池である（１）〜（６）のいずれかに記載の燃料電池。
【手続補正書】
【提出日】平成19年4月20日(2007.4.20)
【手続補正１】
【補正対象書類名】特許請求の範囲
【補正対象項目名】全文
【補正方法】変更
【補正の内容】
【特許請求の範囲】
【請求項１】
粘着シートに貼付されて水平に配置された半導体ウエハからダイシングされた半導体チップを分離ステーションにおいて分離する半導体チップ分離装置において、
水平に位置する回転軸を有して垂直面内で間欠的に回転するインデックステーブルと、
インデックステーブルの側面に等角的に設けられて半径方向にスライド可能な複数の吸着ヘッドとを具備し、
インデックステーブルの間欠回転によって、分離ステーションの上に至った吸着ヘッドがインデックステーブル上で半径方向外方に移動して分離ステーションに位置する半導体チップの上面を吸着し、吸着後、インデックステーブル上で半径方向内方に移動して半導体ウエハから半導体チップを分離し、
インデックステーブルのさらなる間欠回転によって、吸着ヘッドに吸着された半導体ウエハを反転させることを特徴とする半導体チップ分離装置。
【請求項２】
ホルダがインデックステーブルの垂直な側面に設けられ、
吸着ヘッドは、その先端に吸着ノズルを備えて、インデックステーブルの半径方向にスライド可能にホルダに取付けられた請求項１記載の半導体チップ分離装置。
【請求項３】
吸着ノズルは吸着ヘッド内でスライド可能とされ、吸着ノズルを半径方向で外方に押圧する圧縮コイルばねを吸着ヘッドに内蔵して吸着ノズルを後退可能とした請求項２記載の半導体チップ分離装置。
【請求項４】
インデックステーブルの側方に配置されて、分離ステーション上の半導体チップを認識する認識カメラをさらに具備し、
認識カメラは、インデックステーブルの回転軸と同軸上に位置するカメラ本体および反射ミラーを持ち、
反射ミラーは、分離ステーションの半導体チップを投影可能に、分離ステーションの真上でインデックステーブルの回転軸と同軸上に位置している請求項１〜３のいずれか記載の半導体チップ分離装置。
【請求項５】
粘着シートに貼付されて水平に配置された半導体ウエハからダイシングされた半導体チップを分離ステーションにおいて半導体ウエハから分離する半導体チップ分離方法において、側面に等角的に設けられて半径方向にスライド可能な複数の吸着ヘッドを持つインデックステーブルを水平に位置する回転軸の回りで間欠的に回転させ、
インデックステーブルの回転によって分離ステーションに至った吸着ヘッドがインデックステーブル上で半径方向外方に移動して分離ステーションの半導体チップの上面を吸着し、吸着後、インデックステーブル上で半径方向内方に移動して半導体ウエハから半導体チップを分離し、
インデックステーブルのさらなる回転によって、吸着ヘッドに吸着された半導体ウエハを反転させることを特徴とする半導体チップ分離方法。
【請求項６】
分離ステーションの真上でインデックステーブルの回転軸と同軸上に位置する反射ミラーに分離ステーション上の半導体チップを投影し、
反射ミラーに投影された半導体チップの映像を、インデックステーブルの回転軸と同軸上に位置するカメラ本体で認識することを特徴とする請求項５記載の半導体チップ分離方法。
【請求項７】
吸着ヘッドに吸着された半導体チップを次の工程に移送する移送ステーションを、分離ステーションと１８０度離反した位置に設定した請求項５または６記載の半導体チップ分離方法。
【手続補正２】
【補正対象書類名】明細書
【補正対象項目名】００１１
【補正方法】変更
【補正の内容】
【００１１】
請求項１記載の本発明によれば、吸着ヘッド付インデックステーブルを垂直面内で間欠的に回転可能に配置するという簡単な構成によって、半導体チップの分離と反転とがインデックステーブルの間欠的な回転という一連の動作の中で行なえ、反転を伴う分離工程が中断なく連続的になされ、分離工程の高速化、効率化が可能となる。
請求項２記載の本発明によれば、インデックステーブルの半径方向にスライド可能な吸着ヘッドが得られる。
請求項３記載の本発明によれば、吸着ノズルが後退可能であるため、吸着ノズルが半導体チップに無理に押付けられず、半導体チップの損傷が防止される。
【手続補正３】
【補正対象書類名】明細書
【補正対象項目名】００１２
【補正方法】変更
【補正の内容】
【００１２】
請求項４記載の本発明によれば、インデックステーブルの側方に認識カメラを配置し、認識カメラの反射ミラーが分離ステーションの真上でインデックステーブルの回転軸と同軸上に位置して分離ステーションの半導体チップを投影しているため、カメラ本体、反射ミラーの距離が長くならず、焦点距離の長い高価な認識カメラを使用する必要がない。
【手続補正４】
【補正対象書類名】明細書
【補正対象項目名】００１３
【補正方法】変更
【補正の内容】
【００１３】
請求項５記載の本発明によれば、半導体チップの分離と反転とがインデックステーブルの間欠的な回転という一連の動作の中で行なえ、反転を伴う分離工程が中断なく連続的になされて、分離工程の高速化、効率化が可能となる。
【手続補正５】
【補正対象書類名】明細書
【補正対象項目名】００１４
【補正方法】変更
【補正の内容】
【００１４】
請求項６記載の本発明によれば、カメラ本体、反射ミラーの距離が長くならず、焦点距離の長い高価な認識カメラを使用することなく半導体チップの有無や良否が認識できる。
【手続補正６】
【補正対象書類名】明細書
【補正対象項目名】００１５
【補正方法】変更
【補正の内容】
【００１５】
請求項７記載の本発明によれば、分離ステーションと１８０度離反した位置を移送ステーションとしているため、移送用の吸着ヘッドの配置が設計上制約の少ない条件下で行なえる。
【手続補正書】
【提出日】平成19年8月15日(2007.8.15)
【手続補正１】
【補正対象書類名】明細書
【補正対象項目名】特許請求の範囲
【補正方法】変更
【補正の内容】
【特許請求の範囲】
【請求項１】 内腔をもつ主磁石と、
内壁をもち且つ前記内腔内に配置された勾配コイル・アセンブリと、
内面を備える管状ＲＦコイル巻枠と、前記ＲＦコイル巻枠の内面と隣接した関係で前記ＲＦコイル巻枠に取りつけられたＲＦコイルとを備えるＲＦコイル・アセンブリと、
前記ＲＦコイルと前記ＲＦコイル巻枠とを前記勾配コイル・アセンブリが支持するように前記ＲＦコイル巻枠と前記勾配コイル・アセンブリの前記内壁との間に延びる取付け構造と、
内部管状要素と、
前記内腔に前記内部管状要素を支持する手段とを備え、
前記内部管状要素が前記ＲＦコイルと前記ＲＦコイル巻枠とに対して間隔をあけて配置され、
前記内部管状要素が前記内腔の容積の特定部分を規定し、
前記特定部分がＭＲイメージング容積を含んでおり、
前記内部管状要素と前記主磁石とは、前記勾配コイル・アセンブリと前記ＲＦコイル・アセンブリを含む空間を規定し、
前記内部管状要素には、両者の間に真空空間を維持するためにそれぞれ密封された、狭い間隔をおいた２つの壁が設けられている、ＭＲイメージング・システム。
【請求項２】 前記取付け構造は、前記勾配コイル・アセンブリの前記内壁に結合されたスリーブ要素と、前記スリーブ要素と前記ＲＦコイル巻枠との間に延びる複数の調整可能なねじとを備える請求項１のシステム。
【請求項３】 前記調整可能なねじのうちの３つは互いに実質的に等距離の関係で、前記スリーブ要素と前記ＲＦコイル巻枠との間に配置された管状空間の回りに配置されている請求項２のシステム。
【請求項４】 前記勾配コイル・アセンブリと前記ＲＦコイル・アセンブリを含む前記空間は大気、もしくは、不活性ガスを含んでいる請求項１のシステム。
【手続補正書】
【提出日】平成18年11月16日(2006.11.16)
【手続補正１】
【補正対象書類名】明細書
【補正対象項目名】発明の名称
【補正方法】変更
【補正の内容】
【発明の名称】内視鏡治療装置、プローブ、及び、処置装置
【手続補正２】
【補正対象書類名】明細書
【補正対象項目名】特許請求の範囲
【補正方法】変更
【補正の内容】
【特許請求の範囲】
【請求項１】
体腔内に挿入される挿入部を有する内視鏡と、
前記内視鏡の挿入部に挿通され、体腔内の患部の治療を行なう処置用プローブ本体と、
前記処置用プローブ本体に設けられ、先端に開口部を有するとともに、前記開口部に連通する中空管路が形成された注射針と、
前記注射針に連通し、注射針に流体を供給するために前記処置用プローブ本体の手元側に設けられた流体供給接続手段と、
高周波電流によって体腔内の患部の治療を行なう電極と、
前記電極に電気的に接続され、電極に高周波電流を供給するために前記処置用プローブ本体の手元側に設けられた高周波供給接続手段と、
前記流体供給接続手段に接続され且つ前記注射針に流体を供給する流体供給手段と、前記高周波供給接続手段に接続され且つ前記電極に高周波を供給する高周波供給手段とを有する制御装置と、
を具備することを特徴とする内視鏡治療装置。
【請求項２】
前記注射針と前記電極とが同体または一体的に構成されていることを特徴とする請求項１に記載の内視鏡治療装置。
【請求項３】
前記注射針の先端が前記処置用プローブ本体の先端から突没自在であるとともに、その突出量が２ｍｍ〜６ｍｍに設定されていることを特徴とする請求項１に記載の内視鏡治療装置。
【請求項４】
電極と、
前記電極に接続されるとともに、電源からの電力を当該電極に通電するための通電ケーブルと、
前記電極に向かって流体を供給可能となるよう前記電極に連通する管路を備えた流体供給チューブと、
を具備することを特徴とするプローブ。
【請求項５】
電極と、
前記電極に接続されるとともに、電源からの電力を当該電極に通電するための通電ケーブルと、
前記通電ケーブルに接続されるとともに、電源からの電力を前記通電ケーブルに供給可能に制御する第１の制御手段と、
前記電極に向かって流体を供給可能となるよう前記電極に連通する管路を備えた流体供給チューブと、
前記流体供給チューブに対して流体を供給可能に制御する第２の制御手段と、
を具備することを特徴とする処置装置。
【請求項６】
電極と、
前記電極に接続されるとともに、電源からの電力を当該電極に通電するための通電ケーブルと、
前記電極に向かって流体を供給可能となるよう前記電極に連通する管路を備えた流体供給チューブと、
前記通電ケーブルおよび前記流体供給チューブに接続されるとともに、電源からの電力を前記通電ケーブルに供給可能に、かつ前記流体供給チューブに対して流体を供給可能に制御する制御手段と、
を具備することを特徴とする処置装置。
【手続補正３】
【補正対象書類名】明細書
【補正対象項目名】０００１
【補正方法】変更
【補正の内容】
【０００１】
【発明の属する技術分野】
本発明は内視鏡的粘膜切除術に適した内視鏡治療装置、プローブ、及び、処置装置に関する。
【手続補正４】
【補正対象書類名】明細書
【補正対象項目名】０００５
【補正方法】変更
【補正の内容】
【０００５】
本発明は前記事情に着目してなされたものであり、その目的とするところは、内視鏡の処置具チャンネルに異なる機能の処置具を入れ替えることなく、病変組織の隆起（局注）と隆起部の切除と止血とに至る一連の作業を連続して行なうことができる内視鏡治療装置、プローブ、及び、処置装置を提供することにある。
【手続補正５】
【補正対象書類名】明細書
【補正対象項目名】０００６
【補正方法】変更
【補正の内容】
【０００６】
【課題を解決するための手段】
前記課題を解決するために、本発明の内視鏡治療装置は、体腔内に挿入される挿入部を有する内視鏡と、前記内視鏡の挿入部に挿通され、体腔内の患部の治療を行なう処置用プローブ本体と、前記処置用プローブ本体に設けられ、先端に開口部を有するとともに、前記開口部に連通する中空管路が形成された注射針と、前記注射針に連通し、注射針に流体を供給するために前記処置用プローブ本体の手元側に設けられた流体供給接続手段と、高周波電流によって体腔内の患部の治療を行なう電極と、前記電極に電気的に接続され、電極に高周波電流を供給するために前記処置用プローブ本体の手元側に設けられた高周波供給接続手段と、前記流体供給接続手段に接続され且つ前記注射針に流体を供給する流体供給手段と、前記高周波供給接続手段に接続され且つ前記電極に高周波を供給する高周波供給手段とを有する制御装置とを具備することを特徴とする。
本発明のプローブは、電極と、前記電極に接続されるとともに、電源からの電力を当該電極に通電するための通電ケーブルと、前記電極に向かって流体を供給可能となるよう前記電極に連通する管路を備えた流体供給チューブと、を具備することを特徴とする。
本発明の処置装置は、電極と、前記電極に接続されるとともに、電源からの電力を当該電極に通電するための通電ケーブルと、前記通電ケーブルに接続されるとともに、電源からの電力を前記通電ケーブルに供給可能に制御する第１の制御手段と、前記電極に向かって流体を供給可能となるよう前記電極に連通する管路を備えた流体供給チューブと、前記流体供給チューブに対して流体を供給可能に制御する第２の制御手段と、を具備することを特徴とする。
本発明の処置装置は、電極と、前記電極に接続されるとともに、電源からの電力を当該電極に通電するための通電ケーブルと、前記電極に向かって流体を供給可能となるよう前記電極に連通する管路を備えた流体供給チューブと、前記通電ケーブルおよび前記流体供給チューブに接続されるとともに、電源からの電力を前記通電ケーブルに供給可能に、かつ前記流体供給チューブに対して流体を供給可能に制御する制御手段と、を具備することを特徴とする。
【手続補正６】
【補正対象書類名】明細書
【補正対象項目名】００３８
【補正方法】変更
【補正の内容】
【００３８】
【発明の効果】
以上説明したように、本発明の内視鏡治療装置、プローブ、及び、処置装置によれば、内視鏡の処置具チャンネルに異なる機能の処置具を入れ替えることなく、病変組織の隆起（局注）と隆起部の切除と止血とに至る一連の作業を連続して行なうことができる。したがって、手術時間の短縮を図ることができる。
【手続補正書】
【提出日】平成18年11月20日(2006.11.20)
【手続補正１】
【補正対象書類名】明細書
【補正対象項目名】特許請求の範囲
【補正方法】変更
【補正の内容】
【特許請求の範囲】
【請求項１】
リール本体の前部に配置されてハンドルが回されると前後方向に往復動するスプールの釣糸巻回部にリール本体の前部に配置されてハンドルが回されると回転するロータに取り付けられたラインローラにてリール本体の前方に繰り出された釣糸を案内しながら巻き取り、上記ラインローラから釣糸を外すことによってスプールの釣糸巻回部に巻き取られた釣糸をリール本体の前方に繰り出すようにし、さらに釣糸の巻き取り時にラインローラにて案内される釣糸を挟持して釣糸のヨレをとるように構成された魚釣用スピニングリールにおいて、上記ラインローラと上記スプールとの間に、上記ラインローラにて上記スプールに案内される釣糸がラインローラの案内面よりスプール軸方向における前方側へ偏向するのを規制する規制部材を設けたことを特徴とする魚釣用スピニングリール。
【請求項２】
上記規制部材は上記ラインローラにて上記スプールに案内される釣糸の当接により回転する回転部を有することを特徴とする請求項１記載の魚釣用スピニングリール。
【手続補正２】
【補正対象書類名】明細書
【補正対象項目名】０００５
【補正方法】変更
【補正の内容】
【０００５】
【課題を解決するための手段】
上記課題を解決するため、請求項１に係る発明は、リール本体（５）の前部に配置されてハンドルが回されると前後方向に往復動する
スプール（９）の釣糸巻回部（９ａ）にリール本体（５）の前部に配置されてハンドルが回されると回転するロータ（６）に取り付けられたラインローラ（１７）にてリール本体（５）の前方に繰り出された釣糸（１）をラインローラ（１７）にて案内しながら巻き取り、上記ラインローラ（１７）から釣糸（１）を外すことによってスプール（９）の釣糸巻回部（９ａ）に巻き取られた釣糸（１）をリール本体（５）の前方に繰り出すようにし、さらに釣糸（１）の巻き取り時にラインローラ（１７）にて案内される釣糸（１）を挟持して釣糸（１）のヨレをとるように構成された魚釣用スピニングリールにおいて、上記ラインローラ（１７）と上記スプール（９）との間に、上記ラインローラ（１７）にて上記スプール（９）に案内される釣糸（１）がラインローラ（１７）の案内面よりスプール軸方向（ａ）における前方側へ偏向するのを規制する規制部材（２６）を設けた魚釣用スピニングリールを採用する。
【手続補正３】
【補正対象書類名】明細書
【補正対象項目名】０００６
【補正方法】変更
【補正の内容】
【０００６】
請求項２に係る発明は、上記規制部材（２６）が上記ラインローラ（１７）にて上記スプール（９）に案内される上記釣糸（１）の当接により回転する回転部（２８）を有した請求項１記載の魚釣用スピニングリールを採用する。
【手続補正４】
【補正対象書類名】明細書
【補正対象項目名】００３４
【補正方法】変更
【補正の内容】
【００３４】
【発明の効果】
請求項１に係る発明によれば、ラインローラとスプールとの間に、上記ラインローラにて上記スプールに案内される釣糸がラインローラの案内面よりスプール軸方向における前方側へ偏向するのを規制する規制部材を設けているので、釣糸がラインローラ付近からスプールヘ非常に軽いテンションで巻き取られる場合等において規制部材により釣糸の偏向が規制され釣糸からヨレ、たるみ等が除去された状態で釣糸はスプールに均一厚さで巻き取られるから釣糸の繰り出し時におけるバックラッシュ等の発生によるライントラブルを確実に防止することとなる。
【手続補正５】
【補正対象書類名】明細書
【補正対象項目名】００３５
【補正方法】変更
【補正の内容】
【００３５】
また、請求項２に係る発明によれば、規制部材が釣糸の当接により回転する回転部を有するので、釣糸の巻き取り時に於ける釣糸への付加を低減できて釣糸の巻き取り操作をスムーズに行うことができる。
【手続補正書】
【提出日】平成19年4月23日(2007.4.23)
【手続補正１】
【補正対象書類名】明細書
【補正対象項目名】特許請求の範囲
【補正方法】変更
【補正の内容】
【特許請求の範囲】
【請求項１】
サーバと、前記サーバにネットワーク接続され、複数のユーザにより操作される複数の情報処理装置とを有し、前記複数のユーザが参加可能な仮想空間が形成され、前記仮想空間内に前記複数のユーザに関連する複数のユーザキャラクタが生成されるシステムにおいて、前記ユーザが入力した文字を処理する入力文字処理方法であって、
前記情報処理装置が、前記情報処理装置を操作するユーザからの入力文字列を受け取るステップと、
前記複数の情報処理装置が、前記ネットワーク上で、前記入力文字列を含む情報を共有するステップと、
前記複数の情報処理装置が、前記入力文字列が予め定められた文字列を含む場合には、前記仮想空間において、前記入力文字列を入力したユーザに関連するユーザキャラクタ以外の他のユーザキャラクタのモーションを変化させる特定のイベントを引き起こさせて、各情報処理装置に表示させるステップとを有する
ことを特徴とする入力文字処理方法。
【請求項２】
請求項１記載の入力文字処理方法において、
前記特定のイベントは、前記仮想空間内における前記ユーザキャラクタに関連する画像又はデータを変化させるステップと、前記仮想空間内におけるオブジェクトに関連する画像又はデータを変化させるステップと、前記仮想空間内における背景画像又は音楽を変化させるステップとのうちのいずれかのステップを含む
ことを特徴とする入力文字処理方法。
【請求項３】
サーバと、前記サーバにネットワーク接続され、複数のユーザにより操作される複数の情報処理装置とを有し、前記複数のユーザが参加可能な仮想空間が形成され、前記仮想空間内に前記複数のユーザに関連する複数のユーザキャラクタが生成されるシステムであって、
前記各情報処理装置が、
前記情報処理装置を操作するユーザからの入力文字列を受け取る手段と、
前記ネットワーク上で、前記入力文字列を含む情報を共有する手段と、
前記入力文字列が予め定められた文字列を含む場合には、前記仮想空間において、前記入力文字列を入力したユーザに関連するユーザキャラクタ以外の他のユーザキャラクタのモーションを変化させる特定のイベントを引き起こさせて、表示させる手段と
を有することを特徴とするシステム。
【請求項４】
請求項３記載のシステムにおいて、
前記特定のイベントは、前記仮想空間内における前記ユーザキャラクタに関連する画像又はデータを変化させるステップと、前記仮想空間内におけるオブジェクトに関連する画像又はデータを変化させるステップと、前記仮想空間内における背景画像又は音楽を変化させるステップとのうちのいずれかのステップを含む
ことを特徴とするシステム。
【請求項５】
サーバと、前記サーバにネットワーク接続され、複数のユーザにより操作される複数の情報処理装置とを有し、前記複数のユーザが参加可能な仮想空間が形成され、前記仮想空間内に前記複数のユーザに関連する複数のユーザキャラクタが生成されるシステムを構成する情報処理装置に、
前記情報処理装置を操作するユーザからの入力文字列を受け取るステップ、
前記ネットワーク上で、前記入力文字列を含む情報を共有するステップ、
前記入力文字列が予め定められた文字列を含む場合には、前記仮想空間において、前記入力文字列を入力したユーザに関連するユーザキャラクタ以外の他のユーザキャラクタのモーションを変化させる特定のイベントを引き起こさせて、表示させるステップ
を実行させるためのプログラム。
【請求項６】
請求項５記載のプログラムにおいて、
前記情報処理装置に、
前記特定のイベントとして、前記仮想空間内における前記ユーザキャラクタに関連する画像又はデータを変化させるステップと  前記仮想空間内におけるオブジェクトに関連する画像又はデータを変化させるステップと、前記仮想空間内における背景画像又は音楽を変化させるステップとのうちのいずれかのステップを更に実行させる
ことを特徴とするプログラム。
【請求項７】
サーバと、前記サーバにネットワーク接続され、複数のユーザにより操作される複数の情報処理装置とを有し、前記複数のユーザが参加可能な仮想空間が形成され、前記仮想空間内に前記複数のユーザに関連する複数のユーザキャラクタが生成されるシステムを構成する情報処理装置に、
前記情報処理装置を操作するユーザからの入力文字列を受け取るステップ、
前記ネットワーク上で、前記入力文字列を含む情報を共有するステップ、
前記入力文字列が予め定められた文字列を含む場合には、前記仮想空間において、前記入力文字列を入力したユーザに関連するユーザキャラクタ以外の他のユーザキャラクタのモーションを変化させる特定のイベントを引き起こさせて、表示させるステップ
を実行させるためのプログラムを記録したコンピュータ読み取り可能な記録媒体。
【請求項８】
請求項７記載の記録媒体において、
前記情報処理装置に、
前記特定のイベントとして、前記仮想空間内における前記ユーザキャラクタに関連する画像又はデータを変化させるステップと  前記仮想空間内におけるオブジェクトに関連する画像又はデータを変化させるステップと、前記仮想空間内における背景画像又は音楽を変化させるステップとのうちのいずれかのステップを更に実行させるためのプログラムを記録したコンピュータ読み取り可能な記録媒体。
【手続補正書】
【提出日】平成18年12月25日(2006.12.25)
【手続補正１】
【補正対象書類名】明細書
【補正対象項目名】特許請求の範囲
【補正方法】変更
【補正の内容】
【特許請求の範囲】
【請求項１】
以下の(a)又は(b)のタンパク質。
(a) 配列番号2n(nは1〜722、724〜1137の整数を表す）に示されるアミノ酸配列から選ばれるいずれかのアミノ酸配列を含むタンパク質
(b) 配列番号2n(nは1〜722、724〜1137の整数を表す）に示されるアミノ酸配列から選ばれるいずれかのアミノ酸配列において1若しくは数個のアミノ酸が欠失、置換若しくは付加された配列を含み、かつ、4℃〜100℃において安定性を有するタンパク質
【請求項２】
タンパク質がサーマス属に属する微生物由来のものである請求項1記載のタンパク質。
【請求項３】
サーマス属に属する微生物がサーマス・サーモフィラスである請求項２記載のタンパク質。
【請求項４】
以下の(a)又は(b)のタンパク質をコードする遺伝子。
(a) 配列番号2n(nは1〜722、724〜1137の整数を表す）に示されるアミノ酸配列から選ばれるいずれかのアミノ酸配列を含むタンパク質
(b) 配列番号2n(nは1〜722、724〜1137の整数を表す）に示されるアミノ酸配列から選ばれるいずれかのアミノ酸配列において1若しくは数個のアミノ酸が欠失、置換若しくは付加された配列を含み、かつ、4℃〜100℃において安定性を有するタンパク質
【請求項５】
以下の(c)又は(d)のDNAを含む遺伝子。
(c) 配列番号2n-1(nは1〜722、724〜1137の整数を表す）に示される塩基配列から選ばれるいずれかの塩基配列からなるDNA
(d) 配列番号2n-1(nは1〜722、724〜1137の整数を表す）に示される塩基配列から選ばれるいずれかの塩基配列からなるDNAとストリンジェントな条件下でハイブリダイズし、かつ、4℃〜100℃において安定性を有するタンパク質をコードするDNA
【請求項６】
請求項４又は５記載の遺伝子を含有する組換えベクター。
【請求項７】
請求項６記載のベクターを含む形質転換体。
【請求項８】
請求項６記載の形質転換体を培養し、得られる培養物から目的遺伝子の発現タンパク質を採取することを特徴とする該タンパク質の製造方法。
【手続補正書】
【提出日】平成19年2月9日(2007.2.9)
【手続補正１】
【補正対象書類名】明細書
【補正対象項目名】特許請求の範囲
【補正方法】変更
【補正の内容】
【特許請求の範囲】
【請求項１】
複数の画素トランジスタがマトリクス状に配置されたアクティブマトリクス回路と、
前記アクティブマトリクス回路を駆動するソースドライバおよびゲートドライバと、を有する表示装置であって、
外部から入力されるｍビットのデジタルビデオデータのうち、上位ｎビットを階調電圧の情報として、かつ下位（ｍ−ｎ）ビットを時間階調の情報として用いて１フレームの映像を形成し、
ｍ、ｎは共に２以上の正数であり、かつｍ＞ｎであることを特徴とする表示装置。
【請求項２】
複数の画素トランジスタがマトリクス状に配置されたアクティブマトリクス回路と、
前記アクティブマトリクス回路を駆動するソースドライバおよびゲートドライバと、
処理回路とを有し、
前記処理回路は、外部から入力されるｍビットのデジタルビデオデータのうちｎビットを階調電圧のためのｎビットのデジタルビデオデータに変換し、前記ソースドライバに当該ｎビットのデジタルビデオデータを供給する回路（ｍ、ｎは共に２以上の正数、ｍ＞ｎ）であり、
１フレームの映像は、当該ｎビットのデジタルビデオデータと２ｍ−ｎ個のサブフレームによる時間階調表示とを用いて形成されることを特徴とする表示装置。
【請求項３】
複数の画素トランジスタがマトリクス状に配置されたアクティブマトリクス回路と、
前記アクティブマトリクス回路を駆動するソースドライバおよびゲートドライバと、
処理回路とを有し、
前記処理回路は、外部から入力されるｍビットのデジタルビデオデータのうちｎビットを階調電圧のためのｎビットのデジタルビデオデータに変換し、前記ソースドライバに当該ｎビットのデジタルビデオデータを供給する回路（ｍ、ｎは共に２以上の正数、ｍ＞ｎ）であり、
当該ｎビットのデジタルビデオデータと２ｍ−ｎ個のサブフレームによる時間階調表示とを用いて１フレームの映像を形成し、（２ｍ−（２ｍ−ｎ−１））通りの階調表示を得ることを特徴とする表示装置。
【請求項４】
複数の画素トランジスタがマトリクス状に配置されたアクティブマトリクス回路と、
前記アクティブマトリクス回路を駆動するソースドライバおよびゲートドライバと、を有する表示装置であって、
外部から入力されるｍビットのデジタルビデオデータのうち、上位ｎビットを階調電圧の情報として、かつ下位（ｍ−ｎ）ビットを時間階調の情報（ｍ、ｎは共に２以上の正数、ｍ＞ｎ）として用いて１フレームの映像を形成し、、
前記ソースドライバは、前記ｎビットのデジタルビデオデータをアナログ階調電圧に変換するＤ／Ａ変換回路を有していることを特徴とする表示装置。
【請求項５】
複数の画素トランジスタがマトリクス状に配置されたアクティブマトリクス回路と、
前記アクティブマトリクス回路を駆動するソースドライバおよびゲートドライバと、
処理回路とを有し、
前記処理回路は、外部から入力されるｍビットのデジタルビデオデータのうちｎビットを階調電圧のためのｎビットのデジタルビデオデータに変換し、前記ソースドライバに当該ｎビットのデジタルビデオデータを供給する回路（ｍ、ｎは共に２以上の正数、ｍ＞ｎ）であり、
前記ソースドライバは、当該ｎビットのデジタルビデオデータをアナログ階調電圧に変換するＤ／Ａ変換回路を有しており、
１フレームの映像は、前記アナログ階調電圧と２ｍ−ｎ個のサブフレームによる時間階調表示とを用いて形成されることを特徴とする表示装置。
【請求項６】
複数の画素トランジスタがマトリクス状に配置されたアクティブマトリクス回路と、
前記アクティブマトリクス回路を駆動するソースドライバおよびゲートドライバと、
処理回路とを有し、
前記処理回路は、外部から入力されるｍビットのデジタルビデオデータのうちｎビットを階調電圧のためのｎビットのデジタルビデオデータに変換し、前記ソースドライバに当該ｎビットのデジタルビデオデータを供給する回路（ｍ、ｎは共に２以上の正数、ｍ＞ｎ）であり、
前記ソースドライバは、当該ｎビットのデジタルビデオデータをアナログ階調電圧に変換するＤ／Ａ変換回路を有しており、
前記アナログ階調電圧と２ｍ−ｎ個のサブフレームによる時間階調表示とを用いて１フレームの映像を形成し、（２ｍ−（２ｍ−ｎ−１））通りの階調表示を得ることを特徴とする表示装置。
【請求項７】
複数の画素トランジスタがマトリクス状に配置されたアクティブマトリクス回路と、
前記アクティブマトリクス回路を駆動するソースドライバおよびゲートドライバと、
処理回路と、Ｄ／Ａ変換回路とを有し、
前記処理回路は、外部から入力されるｍビットのデジタルビデオデータのうちｎビットを階調電圧のためのｎビットのデジタルビデオデータに変換し（ｍ、ｎは共に２以上の正数、ｍ＞ｎ）、
前記Ｄ／Ａ変換回路は、当該ｎビットのデジタルビデオデータをアナログビデオデータに変換し、かつ前記ソースドライバに前記アナログビデオデータを入力し、
１フレームの映像は、当該アナログビデオデータと２ｍ−ｎ個のサブフレームによる時間階調表示とを用いて形成されることを特徴とする表示装置。
【請求項８】
複数の画素トランジスタがマトリクス状に配置されたアクティブマトリクス回路と、
前記アクティブマトリクス回路を駆動するソースドライバおよびゲートドライバと、
処理回路と、Ｄ／Ａ変換回路とを有し、
前記処理回路は、外部から入力されるｍビットのデジタルビデオデータのうちｎビットを階調電圧のためのｎビットのデジタルビデオデータに変換し（ｍ、ｎは共に２以上の正数、ｍ＞ｎ）、
前記Ｄ／Ａ変換回路は、当該ｎビットのデジタルビデオデータをアナログビデオデータに変換し、かつ前記ソースドライバに前記アナログビデオデータを入力し、
当該アナログビデオデータと２ｍ−ｎ個のサブフレームによる時間階調表示とを用いて１フレームの映像を形成し、（２ｍ−（２ｍ−ｎ−１））通りの階調表示を得ることを特徴とする表示装置。
【手続補正書】
【提出日】平成19年1月25日(2007.1.25)
【手続補正１】
【補正対象書類名】明細書
【補正対象項目名】特許請求の範囲
【補正方法】変更
【補正の内容】
【特許請求の範囲】
【請求項１】  トナー粒子及び疎水性シリカ微粉体を少なくとも含有するトナーにおいて、該疎水性シリカ微粉体は、疎水性シリカ微粉体が有する疎水特性を、メタノール６０体積％及び水４０体積％からなる含水メタノール液を７０ｍｌ保有する容器に、疎水性シリカ微粉体０．０６ｇを精秤して添加した測定用サンプル液にメタノールを１．３ｍｌ／ｍｉｎ．の滴下速度で添加しながら、波長７８０ｎｍの光で透過率を測定して作成するメタノール滴下透過率曲線を用いて表した場合に、下記（ｉ）及び（ii）の疎水特性を有することを特徴とするトナー。
（ｉ）メタノール含有率６０乃至７２体積％における上記測定用サンプル液の透過率が９５％以上であり、且つ、
（ii）メタノール含有率７４体積％における上記測定用サンプル液の透過率が９０％以上である。
【請求項２】  更に、メタノール含有率７５体積％における測定用サンプル液の透過率が９０％以上である請求項１に記載のトナー。
【請求項３】  更に、メタノール含有率７６体積％における測定用サンプル液の透過率が８５％以上である請求項１に記載のトナー。
【請求項４】  疎水性シリカ微粉体のカーボン含有量が、４．５乃至１２．０質量％である請求項１〜３のいずれか１項に記載のトナー。
【請求項５】  疎水性シリカ微粉体が、有機ケイ素化合物で処理されている請求項１〜４のいずれか１項に記載のトナー。
【請求項６】  疎水性シリカ微粉体が、シリコーンオイル又はシリコーンワニスで処理されている請求項１〜４のいずれか１項に記載のトナー。
【請求項７】  疎水性シリカ微粉体が、シリコーンオイル又はシリコーンワニスで処理された後、２００℃以上で加熱処理されている請求項６に記載のトナー。
【請求項８】  疎水性シリカ微粉体が、シランカップリング剤及びシリコーンオイル又はシリコーンワニスで処理されている請求項６に記載のトナー。
【請求項９】  疎水性シリカ微粉体が、水蒸気の存在中でシランカップリング剤によって処理された後、２５℃における粘度が１０乃至２，０００センチストークスのシリコーンオイル又はシリコーンワニスを５０乃至２００℃の温度に加温した状態で噴霧処理することにより疎水化処理されたものである請求項８に記載のトナー。
【請求項１０】  トナーの重量平均粒径が、３．５乃至９．９μｍである請求項１〜９のいずれか１項に記載のトナー。
【請求項１１】  トナーの重量平均粒径が、３．５乃至６．５μｍである請求項１〜９のいずれか１項に記載のトナー。
【請求項１２】  疎水性シリカ微粉体が、トナー粒子１００質量部に対して０．６〜３．０質量部外添されている請求項１〜１１のいずれか１項に記載のトナー。
【請求項１３】  疎水性シリカ微粉体の一次粒子の個数平均粒径が、０．１μｍ以下である請求項１〜１２のいずれか１項に記載のトナー。
【請求項１４】  疎水性シリカ微粉体の一次粒子の個数平均粒径が、５乃至５０ｎｍである請求項１〜１２のいずれか１項に記載のトナー。
【請求項１５】  疎水性シリカ微粉体の窒素ガス吸着法によるＢＥＴ比表面積が１０乃至５５０ｍ2／ｇである請求項１〜１４のいずれか１項に記載のトナー。
【請求項１６】  更に、疎水性シリカ微粉体以外の第２の無機微粉体がトナー粒子に外添されている請求項１〜１５のいずれか１項に記載のトナー。
【請求項１７】  第２の無機微粉体の一次粒子の個数平均粒径が０．１２乃至３．０μｍである請求項１６に記載のトナー。
【請求項１８】  第２の無機微粉体が複合酸化物である請求項１６に記載のトナー。
【請求項１９】  第２の無機微粉体が、チタン酸ストロンチウム微粉体、チタン酸カルシウム微粉体、又は、チタン酸ケイ素微粉体である請求項１６に記載のトナー。
【請求項２０】  トナー粒子が、負帯電性トナー粒子である請求項１〜１９のいずれか１項に記載のトナー。
【請求項２１】  トナー粒子が、鉄粉に対して−２．０乃至−５０μＣ／ｇの負摩擦帯電性を有する請求項２０に記載のトナー。
【請求項２２】  疎水性シリカ微粉体が、負帯電性疎水性シリカ微粉体である請求項１〜２１のいずれか１項に記載のトナー。
【請求項２３】  負帯電性疎水性シリカ微粉体が、鉄粉に対して−５０乃至−３００μＣ／ｇの負摩擦帯電性を有する請求項２２に記載のトナー。
【請求項２４】  静電荷像担持体に静電荷像を形成する工程；トナー像を形成するため該静電荷像をトナーを有する現像手段によって現像する工程；静電荷像担持体上のトナー像を中間転写体を介して、又は介さずに転写材へ転写する工程；該転写材上のトナー像を定着手段によって定着する工程；を含む画像形成方法において、
上記トナーが、請求項１〜２３のいずれか１項に記載のトナーであることを特徴とする画像形成方法。
【請求項２５】  静電荷像担持体が感光ドラムであり、静電潜像形成工程において、該感光ドラムに接触帯電手段を接触させて該静電荷像担持体を一次帯電し、一次帯電された静電荷像担持体に露光により静電荷像を形成する請求項２４に記載の画像形成方法。
【請求項２６】  接触帯電手段が、帯電ローラーを有する請求項２５に記載の画像形成方法。
【請求項２７】  転写工程後の静電荷像担持体の表面にクリーニング手段を当接させて、該静電荷像担持体の表面をクリーニングする請求項２４〜２６のいずれか１項に記載の画像形成方法。
【請求項２８】  クリーニング手段が、ブレードクリーニングを有する請求項２７に記載の画像形成方法。
【請求項２９】  画像形成装置本体に着脱可能に構成され、且つ、少なくとも、静電荷像を担持するための静電荷像担持体と、該静電荷像をトナーで現像してトナー像を形成するための現像手段とを一体的に有する装置ユニットであって、上記トナーが、請求項１〜２３のいずれか１項に記載のトナーであることを特徴とする装置ユニット。
【請求項３０】  静電荷像担持体が感光ドラムであり、装置ユニットは、該感光ドラム表面に接触して該静電荷像担持体を一次帯電するための接触帯電手段を有している請求項２９に記載の装置ユニット。
【請求項３１】  接触帯電手段が、帯電ローラーを有する請求項３０に記載の装置ユニット。
【請求項３２】  更に、静電荷像担持体の表面クリーニングをするためのクリーニング手段が、該静電荷像担持体の表面に当接して設けられている請求項２９〜３１のいずれか１項に記載の装置ユニット。
【請求項３３】  クリーニング手段が、ブレードクリーニングを有する請求項３２に記載の装置ユニット。
【手続補正書】
【提出日】平成19年2月19日(2007.2.19)
【手続補正１】
【補正対象書類名】明細書
【補正対象項目名】特許請求の範囲
【補正方法】変更
【補正の内容】
【特許請求の範囲】
【請求項１】  トイレ内での用便行為により得られた使用者の排泄物を測定し、該測定に基づいて該使用者の健康管理に関与する情報を提供する測定・提供動作を行う健康管理装置であって、
排泄物の成分を測定するセンサと、
排泄物を受け入れ、前記センサへ搬送し、排出するための第１の搬送路と、
排泄物以外の液体を受け入れ、前記センサまたは前記第１の搬送路へ搬送し、排出するための第２の搬送路と、
前記第１、第２の搬送路の少なくとも一方に備えられた可動部材と、
この可動部材を駆動する制御手段と、
前記可動部材の駆動履歴を記憶する記憶手段と、
前記センサの消耗状態または前記排泄物以外の液体の消耗状態を検出した結果及び前記記憶手段の所定の記憶内容を所定の閾値と対比した対比結果を前記使用者に報知する報知手段と、
を備えたことを特徴とする健康管理装置。
【請求項２】  排泄物の成分を測定するセンサと、
排泄物を受け入れ、前記センサへ搬送し、排出するための第１の搬送路と、
排泄物以外の液体を受け入れ、前記センサまたは前記第１の搬送路へ搬送し、排出するための第２の搬送路と、
前記第１、第２の搬送路の少なくとも一方に備えられた可動部材と、
この可動部材を駆動する制御手段と、
前記可動部材の性能を示すパラメータを所定の閾値と対比し、対比結果を報知する報知手段と、
を備えたことを特徴とする健康管理装置。
【請求項３】  前記報知手段に代えて、前記パラメータを表示する表示手段を備えたことを特徴とする請求項２記載の健康管理装置。
【請求項４】  排泄物の成分を測定するセンサと、
排泄物を前記センサへ搬送するための搬送路と、
排泄物以外の液体を前記センサまたは前記搬送路へ供給する液体供給手段と、
排泄物の搬送または液体の供給履歴を記憶する記憶手段と、
前記記憶手段の所定の記憶内容を所定の閾値と対比し、対比結果を報知する報知手段と、
を備えたことを特徴とする健康管理装置。
【請求項５】  排泄物の成分を測定するセンサと、
排泄物を受け入れ、前記センサへ搬送し、排出するための第１の搬送路と、
排泄物以外の液体を受け入れ、前記センサまたは前記第１の搬送路へ搬送し、排出するための第２の搬送路と、
前記第１、第２の搬送路の少なくとも一方に備えられた可動部材と、
この可動部材を駆動する制御手段と、
前記可動部材の駆動履歴を記憶する記憶手段と、
前記記憶手段の所定の記憶内容を所定の閾値と対比し、対比結果を報知する報知手段と、
を備えたことを特徴とする健康管理装置。
【請求項６】  前記報知手段に代えて、前記記憶手段の所定の記憶内容を表示する表示手段を備えたことを特徴とする請求項４または５記載の健康管理装置。
【手続補正２】
【補正対象書類名】明細書
【補正対象項目名】０００４
【補正方法】変更
【補正の内容】
【０００４】
【発明が解決しようとする課題】
従来の装置では、尿成分測定に必要な消耗品例えばセンサー、校正液、緩衝液等がありこれらの消耗品は使用頻度に合わせて交換する必要があった。これらの消耗品はどれ一つでもなくなってしまうと尿成分の測定が出来なくなってしまうが、これら前述したように使用頻度に応じて消耗度合いが異なるので知らないうちにセンサーの寿命が来たり、液がなくなってしまう。こうなってはまず測定そのものが出来なくなり使用者は大変困ってしまう。
【手続補正３】
【補正対象書類名】明細書
【補正対象項目名】０００６
【補正方法】変更
【補正の内容】
【０００６】
【課題を解決するための手段およびその作用・効果】
上記目的を達成するために、本発明では、トイレ内での用便行為により得られた使用者の排泄物を測定し、該測定に基づいて該使用者の健康管理に関与する情報を提供する測定・提供動作を行う健康管理装置であって、排泄物の成分を測定するセンサと、排泄物を受け入れ、前記センサへ搬送し、排出するための第１の搬送路と、排泄物以外の液体を受け入れ、前記センサまたは前記第１の搬送路へ搬送し、排出するための第２の搬送路と、前記第１、第２の搬送路の少なくとも一方に備えられた可動部材と、この可動部材を駆動する制御手段と、前記可動部材の駆動履歴を記憶する記憶手段と、前記センサの消耗状態または前記排泄物以外の液体の消耗状態を検出した結果及び前記記憶手段の所定の記憶内容を所定の閾値と対比した対比結果を前記使用者に報知する報知手段と、を備える。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】０２３５
【補正方法】変更
【補正の内容】
【０２３５】
次に、尿糖センサ２８交換時期の使用者への報知手段、タイミングについて、本実施例で説明する。なお、校正液、緩衝液については、前述しているのでここでの詳細説明は割愛する。
【手続補正書】
【提出日】平成19年2月19日(2007.2.19)
【手続補正１】
【補正対象書類名】明細書
【補正対象項目名】特許請求の範囲
【補正方法】変更
【補正の内容】
【特許請求の範囲】【請求項１】  トイレ内での用便行為により得られた使用者の排泄物を測定し、該測定に基づいて該使用者の健康管理に関与する情報を提供する測定・提供動作を行う健康管理装置であって、  該装置に内蔵され、前記測定・提供動作を支障なく実行するための温度環境を準備する温度環境準備動作を行う環境準備手段と、  前記使用者の接近の検出、使用者による操作の検出、排泄物存在の検出の少なくとも一つを満足したときに、前記温度環境準備手段に温度環境準備動作をさせる制御手段と、を備えたことを特徴とする健康管理装置。【請求項２】  排泄物の成分を測定するセンサと、  排泄物を前記センサへ搬送するための搬送路と、  前記センサまたは前記搬送路へ供給される、排泄物以外の液体の温度を制御する制御手段と、を備えたことを特徴とする排泄物測定装置。【請求項３】  前記センサ、前記搬送路、前記液体を貯溜する貯溜タンク、の少なくとも１つにヒータが取り付けられており、  前記制御手段は、前記ヒータを制御することを特徴とする請求項２記載の排泄物測定装置。【請求項４】  前記センサ、前記搬送路、前記タンク等を収納し、温風ファンを具備する筐体を備えるとともに、  前記制御手段は、前記温風ファンを制御することを特徴とする請求項２記載の排泄物測定装置。【手続補正２】
【補正対象書類名】明細書
【補正対象項目名】０００８
【補正方法】変更
【補正の内容】
【０００８】  また、前記制御手段は、使用者接近の検出、使用者による操作の検出、排泄物存在の検出の少なくとも一つを満足したときに、前記温度環境準備手段に温度環境準備動作をさせることを特徴とする。この場合には、トイレ室内の使用者の存在をトリガー（人体の便座への着座を検知するマイクロスイッチや加圧導電ゴム、静電容量の変化を検知する静電センサ、操作部のスイッチの操作を検知することによって間接的に人体を検出するもの、さらには、温水洗浄便座装置に備えられた人体検出手段を流用による）にして温度環境準備動作を行う。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】削除
【補正の内容】
【手続補正１３】
【補正対象書類名】明細書
【補正対象項目名】００１９
【補正方法】削除
【補正の内容】
【手続補正１４】
【補正対象書類名】明細書
【補正対象項目名】００２０
【補正方法】削除
【補正の内容】
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】削除
【補正の内容】
【手続補正書】
【提出日】平成19年4月2日(2007.4.2)
【手続補正１】
【補正対象書類名】明細書
【補正対象項目名】特許請求の範囲
【補正方法】変更
【補正の内容】
【特許請求の範囲】
【請求項１】
積重ダイオード・マイクロ波電力センサであって、
信号源からの入力信号を受信するための、伝送ライン・インピーダンスにより特徴づけられた入力手段と、
それぞれのコンデンサを介して、第１の数の積重ダイオード対のそれぞれがアースに結合された第１の積重ダイオード手段を含み、前記入力手段と前記アースとの間に接続されて、比較的低い電力の入力信号を検知するための低電力センサ経路と、
前記入力手段とアースとの間に直列に接続された減衰抵抗器Ｒ１及びＲ２を含み、前記伝送ライン・インピーダンスと等しいインピーダンスを有する、アースへの経路を提供するインピーダンス回路網と、
それぞれのコンデンサを介して、第２の数の積重ダイオード対のそれぞれがアースに結合された第２の積重ダイオード手段を含み、前記減衰抵抗器Ｒ１及びＲ２とアースとの間に接続された、比較的高い電力の入力信号を検知するための高電力センサ経路と、
を含み、
前記第１および前記第２の積重ダイオード手段が、二乗則領域で動作し、前記受信した信号の電力レベルを検知することを特徴とする電力センサ。
【請求項２】
前記高電力センサ経路が、前記入力信号の電圧のＲ２／（Ｒ１＋Ｒ２）倍に比例した電圧を検知することを特徴とする請求項１に記載の電力センサ。
【請求項３】
積重ダイオード・マイクロ波電力センサであって、
入力信号を受信するための、伝送ライン・インピーダンスにより特徴づけられた入力手段と、
それぞれのコンデンサを介して、第１の数の積重ダイオード対のそれぞれがアースに結合された第１の積重ダイオード手段を含み、前記入力手段と前記アースとの間に接続されて、比較的低い電力の入力信号を検知するための低電力センサ経路と、
前記入力手段とアースとの間に直列に接続された減衰抵抗器Ｒ１及びＲ２を含むインピーダンス回路網と、
それぞれのコンデンサを介して、第２の数の積重ダイオード対のそれぞれがアースに結合された第２の積重ダイオード手段を含み、前記減衰抵抗器Ｒ１及びＲ２とアースとの間に接続された、比較的高い電力の入力信号を検知するための高電力センサ経路と、
を含み、
さらに、
前記低電力センサ経路が測定に使用されず前記高電力センサ経路が測定に使用されるとき、前記低電力センサ経路の前記ダイオード対を逆バイアスするために、ＤＣ電圧が低電力センサ経路の出力に印加されるように、前記低電力センサ経路の前記出力に接続されたスイッチ手段を含み、
前記第１および前記第２の積重ダイオード手段が、二乗則領域で動作し、前記受信した信号の電力レベルを検知し、
前記高電力センサ経路が、前記入力信号の電圧のＲ２／（Ｒ１＋Ｒ２）倍に比例した電圧を検知することを特徴とする電力センサ。
【請求項４】
前記抵抗器Ｒ２とアースとの間に並列に接続されたコンデンサと、前記抵抗器Ｒ２とアースとの間に直列に接続されたインダクタとを備え、Ｚ２／（Ｚ１＋Ｚ２）のインピーダンス比をなすインピーダンス手段を含むことを特徴とする請求項３に記載の電力センサ。